(57)【要約】【課題】カラオケボックスなどの入店者の全てが未成年である場合において、特に喫煙を制限するメッセージを伝達して警告するようにしたカラオケ喫煙警告システムを提供する。【解決手段】喫煙監視システムとを連動させてなるカラオケ喫煙警告システムであって、利用者別属性情報取得手段と、利用者ＩＤ取得手段と、未成年者判定手段と、喫煙監視システム制御手段と、喫煙警告手段を有し、利用者全員が未成年者と判断された場合には、喫煙監視システムを作動させ、当該喫煙監視システムが喫煙を検知した場合には、カラオケシステムを用いて映像および／または音声にて警告するように制御するシステムを構築した。【選択図】図１
2009054017.tif 000002
【特許請求の範囲】
【請求項１】
カラオケシステムと、これを内包する空間にて喫煙の有無を監視するための喫煙監視システムを連動させてなるカラオケ喫煙警告システムであって、利用者ＩＤ取得手段と、利用者別属性情報管理手段と、未成年者判定手段と、喫煙監視システム制御手段と、喫煙警告手段とを有し、
（ア）利用者ＩＤ取得手段とは、前記カラオケシステムにて利用者ＩＤを取得して利用者を特定するものであり、
（イ）利用者別属性情報管理手段とは、前記特定された利用者の少なくとも年齢情報を含む属性情報を所定の利用者別属性情報管理テーブルにて管理するものであり、
（ウ）未成年者判定手段とは、前記利用者別属性情報管理テーブルにて管理されている年齢情報より、前記現にログインしている利用者全員が未成年か否かを判定するものであり、
（エ）喫煙監視システム制御手段とは、下記の処理１または処理２の制御、即ち、
処理１：前記未成年者判定手段にて利用者全員が未成年者と判定された場合は、前記喫煙監視システムを作動させ、
処理２：前記未成年者判定手段にて利用者全員が未成年者と判定されなかった場合には、前記喫煙監視システムを作動させないようにするものであり、
（オ）喫煙警告システムとは、前記喫煙監視システム制御手段の処理１にて作動された喫煙監視システムが喫煙を確認した場合には、前記カラオケシステムを用いて映像および／または音声にて警告するもの、
であることを特徴とするカラオケ喫煙警告システム。
【発明の詳細な説明】
【技術分野】
【０００１】
本発明は、未成年のカラオケ利用者の喫煙に対し警告を発するシステムに関する。
【背景技術】
【０００２】
従来からカラオケボックスなどの店舗は、未成年者から成人までの様々な年齢層により利用されている。このカラオケボックスなどでは、利用者が入店する際に、その利用者が未成年者か成人かを従業員が目視確認により大凡の判断をしており、判断できない場合には、必要に応じて身分証明書の提示を求めるなどの対応をしている。そして、利用者が未成年者である場合は、アルコール飲酒や喫煙を制限するようにしている。
【０００３】
このような未成年者に対するアルコール飲料や喫煙を制限する対応を考慮したシステムはきわめて乏しく、ＰＯＳデータ管理の付帯的機能として未成年者へのアルコール飲料や煙草の提供を制限しょうとするものである（特許文献１参照）。この特許文献１に開示された手段では、会員データから入店者が未成年者か否かを判断し、アルコール飲料や煙草の販売を制限しようとするものである。即ち、会員データから利用者が未成年者か否かを判断することにより、未成年者へのアルコール飲料や煙草の販売を規制しようとするものである。
【特許文献１】特開２００４−３３４０６６号公報
【発明の開示】
【発明が解決しようとする課題】
【０００４】
しかしながら、上記発明は、未成年者がアルコール飲料や煙草をオーダーした際に規制するものであり、カラオケボックスのような従業員が室内に常駐していない店舗では、未成年者が入店前に煙草を購入し喫煙を行った場合には規制することができない。
【０００５】
そこで本発明は、カラオケボックスのような閉鎖された室内で未成年者の喫煙行為が確認された場合には、喫煙を制限するメッセージを伝達して警告するようにしたカラオケ喫煙警告システムを提供するものである。
【課題を解決するための手段】
【０００６】
そこで本発明は、以下に述べる手段により上記課題を解決するようにした。即ち請求項１記載の発明では、利用者別属性上方をもってなるカラオケシステムと、これを内包する空間にて喫煙の有無を監視するための喫煙監視システムとを連動させてなるカラオケ喫煙警告システムであって、利用者別属性情報取得手段と、利用者ＩＤ取得手段と、未成年者判定手段と、喫煙監視システム制御手段と、喫煙警告手段とを有し、任意の利用者の少なくとも年齢情報を含む属性情報を利用者別属性情報取得テーブルにて管理する利用者別属性情報取得テーブルと、当該カラオケシステムにて現にログインしている利用者の利用者ＩＤを取得する利用者ＩＤ取得手段と、前記利用者別属性情報取得テーブルにて管理されている年齢情報より、前記現にログインしている利用者全員が未成年者か否かを判定する未成年者判定手段と、下記の処理１または処理２の制御を行う喫煙監視システム制御手段と、処理１：前記未成年者判定手段にて利用者全員が未成年者と判断された場合は、前記喫煙監視システムを作動させ、処理２：前記未成年者判定手段にて利用者全員が未成年者と判定されなかった場合には、前記喫煙監視システムを作動させないようにするものであり、前記喫煙監視システム制御手段の処理１にて作動された喫煙監視システムが喫煙を検知した場合には、当該カラオケシステムを用いて映像および／または音声にて警告するように制御する喫煙警告手段とを具備してなることを特徴とする。
【発明の効果】
【０００７】
本発明の請求項１記載のカラオケ喫煙警告システムによれば、カラオケボックスなどにおいて、未成年者だけで入店した場合に、室内での喫煙行為に対しカラオケシステムの機能を効果的に利用し、警告することが可能となる。即ち、カラオケシステムを内包する空間を監視する喫煙監視システムを自動的に作動させ、作動後カラオケシステムにより、歌詞テロップや背景映像を映し出す表示装置ないし、楽曲や歌声を出力する音響装置を利用し警告することにより、カラオケボックスなどの管理者が常時いない密室空間においての未成年者の喫煙を判断できると共に、喫煙を防止する効果を奏する。
【発明を実施するための最良の形態】
【０００８】
以下、本発明の最適な実施例を挙げ、詳細に説明する。
【０００９】
図１は本発明を実施した通信タイプのカラオケシステムの概要を示す図であり、同図において、カラオケ装置１は内蔵の音源により生成された楽曲とマイクロホン２から入力した歌唱音声信号をミキシングして増幅器３により増幅し、スピーカシステム４からカラオケ伴奏音楽および歌唱音声が再生される。また、カラオケ装置１は画像信号をモニターテレビ５に出力し、歌詞テロップおよび背景画像を表示する。
【００１０】
このカラオケ装置１は補助端末装置６から送られてくる赤外線コード信号を受信してリクエストされた楽曲の予約登録を行うなど、カラオケ演奏に必要な様々な機能を処理する。符号８は本発明の要部の構成要素となる喫煙センサーであり、図２に示す如く、喫煙監視システムＤに接続され、例えば、喫煙時の煙草の燃焼炎に含まれる紫外線に反応するようにしたもので、その検知信号をカラオケ装置へ出力する。
【００１１】
図２はカラオケ装置１のハードウエア構成を示すブロック図であり、同図において、中央制御部１１は内部にＣＰＵ、ＲＡＭ、ＲＯＭを含むマイコンであり、制御／データバス５０を介してこれに接続された各構成要素と信号の授受を行い、システム全体の統括および制御を行う。
【００１２】
前記中央制御部１１はハードディスク装置１３に格納されている演奏データを読み出す。この演奏データはＭＩＤＩ形式により記述されたカラオケ伴奏音楽の起源となる音楽生成データ、あるいは、ＭＰ３形式により圧縮保存した生音録音データと、そのカラオケ楽曲の演奏に同期して表示する歌詞やその文字の属性（表示位置、表示色、表示／消去のタイミングなど）を記述した歌詞描画データとを含んでいる。中央制御部１１は、カラオケ装置１との間で、データの送受信を行うためのＧＵＩ機能を備えた補助端末装置６および、リモコン受信部１５や、操作パネル１６からリクエスト楽曲のＩＤを操作制御部１７を介して受け取る。その入力順とＩＤとを対応付けてＲＡＭ２９に格納し、楽曲演奏予約登録を行う。なお、本発明では、喫煙監視システム制御手段２７が未成年者を検知した場合には、警告音をＭＩＤＩ形式で記述された上記楽音生成データを転用したり、あるいは警告音声として、生録音データと同様にＭＰ３形式をもってＨＤＤに圧縮保存した警告音声録音データを用いることにより、カラオケシステムが本来備えている音楽再生機能を利用して効果的に警告できる。なお、警告音ないし警告音声として２通りの報知方法にて出力できたり、あるいは、警告音ないし警告音声の出力時には、カラオケの音楽再生音を消去したり減衰させたりできるようにしてもよい。
【００１３】
そして、予約順に従って該当するカラオケ楽曲の演奏データなどをハードディスク装置１３から読み出し、演奏データ中のＭＩＤＩデータをシンセサイザ１８に転送すると、シンセサイザ１８はこのＭＩＤＩデータに従って内蔵音源を制御し、カラオケ伴奏音楽を生成する。シンセサイザ１８が出力するカラオケ伴奏音楽の演奏信号は、ミキサー１９でマイクロホン２からの歌唱音声信号と混合されて出力し、スピーカシステム４を駆動して音響出力が得られる。
【００１４】
一方、カラオケ伴奏音楽の生成処理に同期し、歌詞画像となるビットマップ画像をビデオＲＡＭ２２に展開する。映像制御部２３は、このビットマップ画像をビデオディスク装置２４から出力される背景画像にスーパーインポーズする処理を行ってモニターテレビ５に画像出力する。そして、本発明では、喫煙監視システム制御手段２７が未成年者の喫煙を検知した場合は、これを警告表示するための警告文字も予めＨＤＤ１３内に備えられ、前記歌詞テロップと同様にビットマップ画像をビデオＲＡＭ２２に展開してモニターテレビ５に画面出力する。構成として、警告文字を出力する際には、歌詞テロップの表示を禁止するようにしても良い。このように、カラオケ用のモニターテレビに警告文字が出力されるため、利用者は必ず画面を見ることになり警告が速やか、かつ、確実に報知されることになる。
【００１５】
利用者ＩＤ取得手段７（補助端末装置６のクレードル型充電器を兼務）には、利用者ＩＤカードＣのデータ入力部６ａが備えられ、利用者ＩＤカードＣをこのデータ入力部６ａに接触させると、利用者ＩＤカードＣに記録されている利用者ＩＤデータがカラオケ装置１を経てカラオケホストセンター１００に転送される。
【００１６】
即ち、カラオケ装置１は通信機能を備えるもので、中央制御部１１は通信制御部１２を制御し、情報通信ネットワークＮを介してカラオケホストセンター１００に接続することによりデータ通信が可能となる。カラオケホストセンター１００はカラオケ楽曲を蓄積した楽曲データサーバ１００ａおよび利用者属性データ、統計データなどを蓄積した管理データサーバ１００ｂを備え、クライアントであるカラオケ装置１との間で各種データの授受が行われる。そして、カラオケホストセンター１００から配信された演奏データなどはハードディスク装置１３に格納され、中央制御部１１の制御に基づいて読み出される。
【００１７】
前記管理データサーバ１００ｂには、利用者がカラオケ事業者の会員システムに登録した際の利用者属性データ、即ち、住所、氏名、生年月日などが蓄積され、前述のようにして特定の利用者ＩＤデータがカラオケホストセンター１００に転送されると、利用者別属性情報管理手段２５は、当該カラオケ装置１に対し当該利用者の生年月日データ（年齢情報を含む）利用者属性データの送信をする。要求されてきた利用者属性データについて、利用者別属性情報管理手段２５は、現に、本カラオケ装置１にログインしている利用者につき、ＲＡＭ２９内にて利用者別属性情報取得テーブルＴにて管理する。
【００１８】
図３は、かかるプログラム処理の流れを示すもので、まず、利用者が補助端末装置６のデータ入力部６ａに利用者ＩＤカードＣを接触してログインすることにより（ステップＳａ１）、利用者ＩＤカードＣの利用者ＩＤデータが読み込まれ（ステップＳａ２）。次に、読み込まれた利用者ＩＤデータは、カラオケ装置１を介し、カラオケホストセンター１００へ転送され（ステップＳａ３）、このカラオケホストセンター１００では、カラオケ装置１から利用者ＩＤが受信されたならば、当該カラオケホストセンター１００に設けられた利用者別属性情報管理手段２５より、年齢情報を含む属性情報を当該カラオケ装置１に送信する（ステップＳａ４）。
【００１９】
カラオケ装置１はこれを受信し（ステップＳａ５）、そして、カラオケ装置１を利用する複数の利用者のログインがなされると、図５に示すような利用者毎の生年月日を記録したログイン利用者情報テーブルが、図２に示す如く、利用者別属性情報取得テーブルＴとしてＲＡＭ２９内に作成される（ステップＳａ６）。
【００２０】
このようにして利用者別属性情報管理テーブルが作成されると、カラオケ装置１において図４に示すプログラム処理が開始される。即ち、図２に示す如く、未成年者判定手段２６が利用者別属性情報取得テーブルＴに記録された、各利用者の生年月日を実時点の年月日と照合して未成年者の有無を判断する（ステップＳａ７）。この段階で未成年者が全く含まれていない場合は、カラオケ装置１を通常の状態で運用されるようにする（ステップＳａ８）。
【００２１】
ステップＳａ７における判断により利用者に未成年者が含まれている場合は、ステップＳａ９において利用者の全てが未成年者であるか否かが判断される。この段階で利用者の全てが未成年者であると判断されると、図２に示す如く、喫煙監視システム制御手段２７が、当該手段２７に接続された喫煙センサー８が、作動を開始して喫煙監視が開始される（処理１）。一方、利用者に成人が含まれている場合は管理対象外と判断し、カラオケ装置１は喫煙センサーを作動することなく通常の状態で運用される（処理２）。
【００２２】
利用者が全て未成年者であり、喫煙監視が開始された状態において、何ら喫煙がなされなかった場合には、カラオケ装置１は通常の状態で運用されるが、喫煙センサー８が喫煙を検知すると（ステップＳａ１０）、図２に示す如く、喫煙警告制御手段２８が、カラオケ装置１付帯している、映像および／または音声にて警告が開始される（ステップＳａ１１）。この警告は、例えば、ブザー音と共に「皆様の喫煙は法令で禁止されていますので、ご遠慮ください」というようなメッセージをモニターテレビ５に表示する。
【００２３】
このようにして警告を発した後、喫煙センサー８が検知しなくなると（ステップＳａ１２）、喫煙に対する警告を終了し（ステップＳａ１３）、カラオケ装置１は通常の状態で運用される。なお、警告のメッセージの内容は上記の例に限定されるものではなく、ブザー音またはメッセージの表示のみによる警告も可能である。
【００２４】
以上説明したように本発明によれば、カラオケボックスなどが未成年者のみで利用され、密室状態となる場合においても喫煙を制止することが可能となるようにすることができることから、未成年者の喫煙を防止して風紀を向上るなど、本発明特有の効果を奏する。
【図面の簡単な説明】
【００２５】
【図１】本発明のシステムの概要を示す図である。
【図２】図１のシステムのハードウエア構成を示す図である。
【図３】本発明におけるデータ処理の流れを示す図である。
【図４】本発明におけるデータ処理の流れを示す図である。
【図５】利用者別属性情報管理テーブルの例を示す図である。
【符号の説明】
【００２６】
１・・・・・・カラオケ装置
２・・・・・・マイクロホン
３・・・・・・増幅器
４・・・・・・スピーカシステム
５・・・・・・モニターテレビ
６・・・・・・補助端末装置
６ａ・・・・・データ入力部
７・・・・・・利用者ＩＤ取得手段
８・・・・・・喫煙センサー
１１・・・・・中央制御部
１２・・・・・通信制御部
１３・・・・・ハードディスク装置
１５・・・・・リモコン送信機
１６・・・・・操作パネル
１７・・・・・操作制御部
１８・・・・・シンセサイザ
１９・・・・・ミキサー
２２・・・・・ビデオＲＡＭ
２３・・・・・映像制御部
２４・・・・・ビデオディスク装置
５０・・・・・制御／データバス
１００・・・・カラオケホストセンター
１００ａ・・・楽曲データサーバ
１００ｂ・・・管理データサーバ
Ｎ・・・・・・情報通信ネットワーク
Ｃ・・・・・・利用者ＩＤカード
【図１】
2009054017.tif 000003
【図２】
2009054017.tif 000004
【図３】
2009054017.tif 000005
【図４】
2009054017.tif 000006
【図５】
2009054017.tif 000007